(57)【要約】      （修正有）【課題】天井躯体と固定天井材との間の隙間が小さくても、構造が簡単で、楽な設置作業で、低コストで設置することができる天井用目地装置を提供する。【解決手段】天井躯体４との間が狭い隙間で、かつ先端部に傾斜面が形成された固定天井材８と、この固定天井材８の傾斜面７と先端部が当接でき、かつ後端部が上方へ移動可能に取付けられた可動目地天井材１３と、この可動目地天井材の後端部を通常時には水平状態で支持するとともに、目地部２が狭くなると上方へ移動できるように取付ける取付け具１４と、可動目地天井材１３の先端部が固定天井材８の傾斜面７に当接している状態では、後端部を上方へ移動させることができず、可動目地天井材１３の先端部が天井躯体４と固定天井材８との隙間へ侵入して後端部側の自重が軽くなると上方へ移動させることができる可動目地天井材引張スプリング１５とで天井用目地装置１を構成している。【選択図】図２
2014208943.tif 000002
【特許請求の範囲】
【請求項１】
目地部を介して建てられた左右の建物の一方の建物の天井躯体に、該天井躯体との間が狭い隙間で、かつ前記天井躯体の目地部側先端部に下部が目地部へ突出する傾斜面に形成された固定天井材と、この固定天井材の傾斜面と先端部が当接でき、かつ後端部が前記左右の建物の他方の建物の目地部側外壁面に上方へ移動可能に取付けられた、通常時には水平状態で目地部を覆う可動目地天井材と、この可動目地天井材の後端部を通常時には、該可動目地天井材が水平状態で支持するとともに、目地部が狭くなると上方へ移動できるように前記他方の建物の目地部側外壁面に少なくとも２個以上で取付ける取付け具と、前記可動目地天井材の先端部が前記固定天井材の傾斜面に当接している状態では、該可動目地天井材の後部を上方へ移動させることができず、可動目地天井材の先端部が前記天井躯体と固定天井材との隙間へ、該固定天井材に支持されながら侵入すると可動目地天井材の後部側の自重が軽くなると上方へ移動させることができる、少なくとも２個以上の可動目地天井材引張スプリングとからなることを特徴とする天井用目地装置。
【発明の詳細な説明】
【技術分野】
【０００１】
本発明は目地部を介して建てられた左右の免震建物等の天井部分の目地部を覆う天井用目地装置に関する。
【背景技術】
【０００２】
従来の天井用目地装置は、地震で目地部が狭くなるように揺れ動くと、目地部を覆っている可動目地天井材を固定天井材と天井躯体との間に設けた先端部が傾斜面に形成された押し上げ杆で、可動目地天井材の先端部側に設けたチャンネル上の受け具を上方へ導くことで可動目地天井材を上方へ導き、その揺れ動きを吸収している。
しかしながら、このような構成の天井用目地装置は、天井躯体と固定天井材との間に押し上げ杆を設置するための隙間が必要であるとともに、構造が複雑で、コスト高になるという欠点があった。
【先行技術文献】
【特許文献】
【０００３】
【特許文献１】特許第３６８８５１０号公報
【発明の概要】
【発明が解決しようとする課題】
【０００４】
本発明は以上のような従来の欠点に鑑み、天井躯体と固定天井材との間の隙間が小さくても、容易に設置することができるとともに、構造が簡単で、楽な設置作業で、低コストで設置することができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の一方の建物の天井躯体に、該天井躯体との間が狭い隙間で、かつ前記天井躯体の目地部側先端部に下部が目地部へ突出する傾斜面に形成された固定天井材と、この固定天井材の傾斜面と先端部が当接でき、かつ後端部が前記左右の建物の他方の建物の目地部側外壁面に上方へ移動可能に取付けられた、通常時には水平状態で目地部を覆う可動目地天井材と、この可動目地天井材の後端部を通常時には、該可動目地天井材が水平状態で支持するとともに、目地部が狭くなると上方へ移動できるように前記他方の建物の目地部側外壁面に少なくとも２個以上で取付ける取付け具と、前記可動目地天井材の先端部が前記固定天井材の傾斜面に当接している状態では、該可動目地天井材の後部を上方へ移動させることができず、可動目地天井材の先端部が前記天井躯体と固定天井材との隙間へ、該固定天井材に支持されながら侵入すると可動目地天井材の後部側の自重が軽くなると上方へ移動させることができる、少なくとも２個以上の可動目地天井材引張スプリングとで          天井用目地装置を構成している。
【発明の効果】
【０００７】
以上の説明から明らかなように、本発明にあっては次に列挙する効果が得られる。
（１）請求項１により、天井躯体と固定天井材との間のいずれかに設置するものがないので、該隙間が小さくても設置することができる。    
（２）前記（１）により、可動目地天井材の後端部を上方へ移動できる取付け具で取付けるとともに、可動目地天井材の後部側の自重が軽くなると上方へ移動させる可動目地天井材引張スプリングを用いるだけで可動目地天井材を取付けることができるので構造が簡単で、設置作業が楽でき、低コストで設置することができる。
（３）前記（１）により、可動目地天井材引張スプリングによって、目地部が狭くなっても、固定天井材に可動目地天井材によって大きな荷重が加わるのを効率よく防止でき、可動目地天井材や固定天井材の損傷を効率よく防止することができる。
【図面の簡単な説明】
【０００８】
【図１】本発明を実施するための第１の形態の平面図。
【図２】図１の２−２線に沿う断面図。
【図３】図１の３−３線に沿う断面図。
【図４】本発明を実施するための第１の形態の取付け具の説明図。
【図５】本発明を実施するための第１の形態の地震で目地部が少し狭くなった動作説明図。
【図６】本発明を実施するための第１の形態の地震で目地部が狭くなった動作説明図。
【図７】本発明を実施するための第１の形態の地震で目地部が広くなった動作説明図。
【図８】本発明を実施するための第２の形態の平面図。
【図９】図８の９−９線に沿う断面図。
【図１０】本発明を実施するための第２の形態の地震で目地部が狭くなった動作説明図。
【図１１】本発明を実施するための第３の形態の平面図。
【図１２】図１１の１２−１２線に沿う断面図。
【図１３】本発明を実施するための第３の形態の地震で目地部が狭くなった動作説明図。
【図１４】本発明を実施するための第４の形態の平面図。
【図１５】図１４の１５−１５線に沿う断面図。
【図１６】本発明を実施するための第５の形態の平面図。
【図１７】図１６の１７−１７線に沿う断面図。
【発明を実施するための形態】
【０００９】
以下、図面に示す本発明を実施するための形態により、本発明を詳細に説明する。
【００１０】
図１ないし図７に示す本発明を実施するための第１の形態において、１は目地部２を介して建てられた左右の建物３、３間の天井目地部２を覆う本発明の天井用目地装置で、この天井用目地装置１は前記左右の建物３、３の一方の建物３の天井躯体４に複数個の吊り下げ具５を用いて、該天井躯体４との間が狭い隙間６で、かつ前記天井躯体４の目地部側先端部に下部が目地部２へ突出する傾斜面７に形成された固定天井材８と、この固定天井材８の先端部に取付けられた、前記傾斜面７を覆うカバー部９および支持部１０が形成されたカバー部材１１と、このカバー部材１１の傾斜面のカバー部９と先端部が当接されるとともに、支持部１０に支持され、かつ後端部が前記左右の建物３、３の他方の建物３の目地部側外壁面１２に上方へ移動可能に取付けられた、通常時には水平状態で目地部２を覆う可動目地天井材１３と、この可動目地天井材１３の後端部を通常時には、該可動目地天井材１３が水平状態で支持するとともに、地震で目地部２が狭くなると上方へ移動できるように、前記他方の建物３の目地部側外壁面１２に少なくとも２個以上で取付ける取付け具１４、１４と、前記可動目地天井材１３の先端部が前記固定天井材８の先端部に取付けられたカバー部材１１のカバー部９と当接している状態では、該可動目地天井材１３の後部を上方へ移動させることができず、該可動目地天井材１３の先端部が前記天井躯体４と固定天井材８との隙間６へ、該固定天井材８に支持されながら侵入すると、可動目地天井材１３の後部側の自重が軽くなると上方へ移動させることができる、少なくとも２個以上の可動目地天井材引張スプリング１５、１５と、前記可動目地天井材１３のほぼ中央上面に一端部が取付けられ、他端部が該可動目地天井材１３よりも上部位置の、前記他方の建物３の目地部側外壁面１２に取付けられた、通常時には可動目地天井材１３をほぼ水平状態に保つチェーン、ワイヤー、ロープ等の、少なくとも２個以上の吊り具１６とで構成されている。
【００１１】
前記取付け具１４は他方の建物３の目地部側外壁面１２に固定されるタッピングビス等のビス１７で下部方向に下がるのを阻止する、該ビス１７が遊挿される長孔状のビス挿入孔１８が形成された取付け板１９と、この取付け板１９の下端部に前記可動目地天井材１３の後端部が位置するように取付けられたヒンジ部材２０とで構成されている。
【００１２】
上記構成の天井用目地装置１は、通常状態では固定天井材８と可動目地天井材１３とで天井および天井目地部は、図１および図２に示すように覆われている。
【００１３】
この時、可動目地天井材１３の先端部は固定天井材８の先端部に取付けられたカバー部材１１の支持部１０に支持され、かつ後端部はビス１７に係止された取付け具１４に支持された状態であるので、可動目地天井材引張スプリング１５には可動目地天井材１３の重量が自重としてかかるため、引き上げられることなく、水平状態で天井目地部２を覆った状態を保っている。
【００１４】
次に、地震で目地部２が狭くなるように左右の建物３、３が揺れ動く場合、まず、固定天井材８の先端部のカバー部材１１の傾斜面のカバー部９に沿って、可動目地天井材１３の先端部がスライド移動して、先端部が固定天井材８と一方の建物３の天井躯体４との間の隙間６へ固定天井材８の先端部に支持されながら可動目地天井材１３が侵入する。
【００１５】
この可動目地天井材１３の先端部の侵入によって、固定天井材８の先端部に支持される部位が移動し、該支持部に支持されている可動目地天井材１３の後部側の寸法が小さくなり、該部分の自重が小さくなるため、可動目地天井材引張スプリング１５の引張力によって、図６に示すように上方へ引き上げて、ほぼ水平に位置させる。
【００１６】
すなわち、取付け具１４の取付け板１９に形成されたビス挿入孔１８は、該ビズ挿入孔１８の上部にビス１７が位置している場合には、可動目地天井材１３の後端部が最下部に位置し、ビス挿入孔１８の下部にビス１７が位置している場合には、可動目地天井材１３の後端部が最上部に位置するように設定されている。
【００１７】
地震で目地部２が広くなるように左右の建物３、３が揺れ動く場合、図７に示すように可動目地天井材１３は水平状態で、他方の建物３の目地部側外壁面１２と一体になって移動し、その揺れ動きを吸収する。
なお、地震による揺れ動きが停止すると、元の状態へ自動的に戻る。    
【００１８】
[発明を実施するための異なる形態]
次に、図８ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図８ないし図１０に示す本発明を実施するための第２の形態において、前記本発明を実施するための第１の形態と主に異なる点は、可動目地天井材１３の先端部の上面に一方の建物３の天井躯体４の底面と当接してスムーズに移動させるためのローラー２１を設置するとともに、Ｌ字状の他方の建物３の目地部側外壁面１２に複数個のタッピングビス２２、２２で固定される取付け板１９Ａと、この取付け板１９Ａの下部の突出片１９ａに形成された支持杆挿入孔２３と、この支持杆挿入孔２３に遊挿され、上部にストッパー片２４が形成され、下部が可動目地天井材１３の後端部に取付けられる支持杆２５とからなる取付け具１４Ａを用いた点で、このように構成した天井用目地装置１Ａにしても、前記本発明を実施するための第１の形態と同様な作用効果が得られる。
【００２０】
図１１ないし図１３に示す本発明を実施するための第３の形態において、前記本発明を実施するための第２の形態と主に異なる点は、固定天井材８の先端部の上面に上方へ突出して、スムーズに可動目地天井材１３をスライド移動や回動ができる複数個の突片、ローラーあるいは回転軸２６を設けた点で、このように構成した天井用目地装置１Ｂにしても、前記本発明を実施するための第２の形態と同様な作用効果が得られる。
【００２１】
図１４および図１５に示す本発明を実施するための第４の形態において、前記本発明を実施するための第３の形態と主に異なる点は、他方の建物３の目地部側外壁面１２に複数個のタッピングビス２２、２２で固定される取付け板１９Ｂの下端部に取り付けられた支持軸２７に可動目地天井材１３の後端部にヒンジ部材２０を介して取り付けられた支持軸挿入孔２８が形成された支持板２９を上方へ移動できるように取り付けた取付け具１４Ｂを用いた点で、このような取付け具１４Ｂを用いて構成した天井用目地装置１Ｃにしても、前記本発明を実施するための第３の形態と同様な作用効果が得られる。
【００２２】
図１６および図１７に示す本発明を実施するための第５の形態において、前記本発明を実施するための第３の形態と主に異なる点は、可動目地天井材１３の後端部にヒンジ部材２０を介して取り付けられたラック３０と、このラック３０とかみ合うピニオン３１が取り付けられた他方の建物３の目地部側外壁面１２に複数個のタッピングビス２２、２２で固定される取付け板１９Ｃを用いて、ラック３０および可動目地天井材１３の後端部を上方へ移動できるようにした取付け具１４Ｃを用いた点で、このような取付け具１４Ｃを用いて構成した天井用目地装置１Ｄにしても、前記本発明を実施するための第３の形態と同様な作用効果が得られる。
【００２３】
なお、本発明の各実施の形態ではカバー部材１１を用いるものについて説明したが、本発明はこれに限らず、カバー部材１１を用いないものであってもよい。
【産業上の利用可能性】
【００２４】
本発明は目地部を介して建てられた左右の免震建物等の天井部分の目地部を覆う天井用目地装置を製造する産業で利用される。
【符号の説明】
【００２５】
１、１Ａ、１Ｂ：天井用目地装置、
２：目地部、        ３：建物、
４：天井躯体、        ５：吊り下げ具、  
６：隙間、        ７：傾斜面、
８：固定天井材、      ９：カバー部、
１０：支持部、      １１：カバー部材、  
１２：目地部側外壁面、    １３：可動目地天井材、
１４、１４Ａ：取付け具、    
１５：可動目地天井材引張スプリング、
１６：吊り具、      １７：ビス、
１８：ビス挿入孔、      １９、１９Ａ：取付け板、
２０：ヒンジ部材、      ２１：ローラー、
２２：ビス、        ２３：支持杆挿入孔、
２４：ストッパー片、    ２５：支持杆、
２６：ローラー、              ２７：支持軸、
２８：支持軸挿入孔、          ２９：支持板、
３０：ラック、                ３１：ピニオン。
【図１】
2014208943.tif 000003
【図２】
2014208943.tif 000004
【図３】
2014208943.tif 000005
【図４】
2014208943.tif 000006
【図５】
2014208943.tif 000007
【図６】
2014208943.tif 000008
【図７】
2014208943.tif 000009
【図８】
2014208943.tif 000010
【図９】
2014208943.tif 000011
【図１０】
2014208943.tif 000012
【図１１】
2014208943.tif 000013
【図１２】
2014208943.tif 000014
【図１３】
2014208943.tif 000015
【図１４】
2014208943.tif 000016
【図１５】
2014208943.tif 000017
【図１６】
2014208943.tif 000018
【図１７】
2014208943.tif 000019